(57)【要約】【課題】レンズを接着剤により固定する場合において、接着剤硬化時におけるレンズの変位を防止・抑制でき、高品質の光走査装置及びそれを備える画像形成装置を提供する。【解決手段】本発明に係る光走査装置は、光源５１と、該光源５１から出射される光が透過するレンズ５２と、該レンズ５２が設置されるハウジング３１とを備える光走査装置であって、レンズ５２の所定の縁部５２ａがハウジング３１の設置面３１ｂに当接し、縁部５２ａにおける光の光軸Ｌ方向での両側において、レンズ５２の一方のレンズ面５２ｂ及び他方のレンズ面５２ｃと設置面３１ｂとの間に所定の接着剤Ｇ１，Ｇ２がそれぞれ塗布されて、レンズ５２がハウジング３１に固定されている、という構成を採用する。【選択図】図４
2011180242.tif 000002
【特許請求の範囲】
【請求項１】
光源と、該光源から出射される光が透過するレンズと、該レンズが設置されるハウジングとを備える光走査装置であって、
前記レンズの所定の縁部が、前記ハウジングの設置面に当接し、
前記縁部における前記光の光軸方向での両側において、前記レンズの一方のレンズ面及び他方のレンズ面と前記設置面との間に所定の接着剤がそれぞれ塗布されて、前記レンズが前記ハウジングに固定されていることを特徴とする光走査装置。
【請求項２】
請求項１に記載の光走査装置において、
前記ハウジングは、前記光軸方向に直交し且つ前記設置面に平行する第１方向での、前記レンズの両側に所定の隙間をあけて設けられる一対の支持部を備え、
前記隙間に所定の接着剤が充填されて、前記レンズと前記一対の支持部とがそれぞれ接合されていることを特徴とする光走査装置。
【請求項３】
請求項２に記載の光走査装置において、
前記ハウジングは、前記一対の支持部の前記設置面側で、前記第１方向に向かって開口するレンズ調整用開口部を備えることを特徴とする光走査装置。
【請求項４】
請求項１から３のいずれか一項に記載の光走査装置において、
前記接着剤は、少なくとも硬化後に前記光を非透過とすることを特徴とする光走査装置。
【請求項５】
請求項１から４のいずれか一項に記載の光走査装置において、
前記レンズは、入射した光を平行光束にして出射するコリメータレンズであることを特徴とする光走査装置。
【請求項６】
請求項１から５のいずれか一項に記載の光走査装置を備えることを特徴とする画像形成装置。
【発明の詳細な説明】
【技術分野】
【０００１】
本発明は、光走査装置及び画像形成装置に関するものである。
【背景技術】
【０００２】
従来から、レーザプリンタや複写機等の画像形成装置には、光源から出射される光を用いて走査する光走査装置が用いられている。この光走査装置から出射される走査光により、画像形成装置の感光体に静電潜像が形成される。さらに、この静電潜像に基づいてトナー画像が形成され、該トナー画像が記録媒体に転写・定着されることで、記録媒体に対する印刷を行っている。また、光走査装置には、光源から出射される光を調整するための複数のレンズが設けられている。これらのレンズは、光走査装置のハウジングにホルダ等を介して設置されている。特許文献１には、レンズをホルダに接着剤を用いて固定する光走査装置が開示されており、レンズとホルダとの間に接着剤が充填されている。
【先行技術文献】
【特許文献】
【０００３】
【特許文献１】特開２００８−５１９７８号公報
【発明の概要】
【発明が解決しようとする課題】
【０００４】
ところで、接着剤は一般的に硬化時に収縮する。そのため、レンズとホルダとの間に充填された接着剤が収縮すると、レンズが光源の光軸方向に直交する方向に変位する虞があった。レンズが上記方向に変位すると、レンズの中央部分に光源からの光が入射できず、光を適切に調整することが難しくなり、結果として光走査装置における必要な性能を確保できなくなる虞があった。
【０００５】
本発明は、以上のような点を考慮してなされたもので、レンズを接着剤により固定する場合において、接着剤硬化時におけるレンズの変位を防止・抑制でき、高品質の光走査装置及びそれを備える画像形成装置を提供することを目的とする。
【課題を解決するための手段】
【０００６】
上記課題を解決するために、本発明は以下の手段を採用する。
本発明に係る光走査装置は、光源と、該光源から出射される光が透過するレンズと、該レンズが設置されるハウジングとを備える光走査装置であって、レンズの所定の縁部がハウジングの設置面に当接し、縁部における光の光軸方向での両側において、レンズの一方のレンズ面及び他方のレンズ面と設置面との間に所定の接着剤がそれぞれ塗布されて、レンズがハウジングに固定されている、という構成を採用する。
本発明では、レンズの縁部が設置面に当接しているため、接着剤の硬化時に収縮することでレンズが設置面側に付勢されたとしても、レンズの変位が防止される。また、本発明では、両レンズ面と設置面との間に接着剤が塗布されることから、接着剤の硬化時に収縮することによる、レンズ面の対向方向でのレンズの変位が防止・抑制される。
【０００７】
また、本発明に係る光走査装置は、ハウジングが光軸方向に直交し且つ設置面に平行する第１方向での、レンズの両側に所定の隙間をあけて設けられる一対の支持部を備え、隙間に所定の接着剤が充填されて、レンズと一対の支持部とがそれぞれ接合されている、という構成を採用する。
【０００８】
また、本発明に係る光走査装置は、ハウジングが一対の支持部の設置面側で、第１方向に向かって開口するレンズ調整用開口部を備える、という構成を採用する。
【０００９】
また、本発明に係る光走査装置は、接着剤が少なくとも硬化後に光を非透過とする、という構成を採用する。
【００１０】
また、本発明に係る光走査装置は、レンズが入射した光を平行光束にして出射するコリメータレンズである、という構成を採用する。
【００１１】
また、本発明に係る画像形成装置は、請求項１から５のいずれか一項に記載の光走査装置を備える、という構成を採用する。
【発明の効果】
【００１２】
本発明によれば、以下の効果を得ることができる。
本発明によれば、レンズを接着剤により固定する場合において、接着剤硬化時におけるレンズの変位を防止・抑制でき、高品質の光走査装置及びそれを備える画像形成装置を提供できるという効果がある。
【図面の簡単な説明】
【００１３】
【図１】本発明の実施形態における複写機の垂直断面図である。
【図２】本発明の実施形態におけるレーザスキャニングユニットの斜視図である。
【図３】本発明の実施形態における光源部の平面図である。
【図４】本発明の実施形態における光源部の垂直断面図である。
【図５】図３のＡ−Ａ線視断面図である。
【発明を実施するための形態】
【００１４】
以下、本発明の実施の形態を、図１から図５を参照して説明する。なお、以下の説明に用いる各図面では、各部材を認識可能な大きさとするため、各部材の縮尺を適宜変更している。また、以下の説明においては、本発明に係る画像形成装置の一例として複写機を挙げて説明する。
【００１５】
図１は、本実施形態における複写機１の垂直断面図である。また、図２は、本実施形態におけるレーザスキャニングユニット７３の斜視図である。また、図３は、本実施形態における光源部３２の平面図である。また、図４は、本実施形態における光源部３２の垂直断面図である。また、図５は、図３のＡ−Ａ線視断面図である。
【００１６】
図１に示すように、本実施形態の複写機（画像形成装置）１は、原稿の画像を読み取る画像読取部２と、読み取った画像データに基づいて記録紙等の記録媒体に印刷を行う印刷部３とを備えている。
【００１７】
画像読取部２は、原稿の画像に光を照射し、その反射光を受光することによって原稿の画像を画像データとして読み取るものであり、原稿に光を照射する光源装置や原稿からの戻り光を受光して画像データに変換する受光センサ等を備えている。
【００１８】
印刷部３は、ベルトユニット６と、画像形成ユニット７と、給紙カセット８と、給紙トレイ９と、二次転写部１０と、定着部１１と、排紙トレイ１２と、搬送路１３とを備えている。
【００１９】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２０】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２１】
各画像形成ユニット７は、感光体７１と、帯電器７２と、レーザスキャニングユニット（光走査装置）７３と、現像装置７４と、一次転写ローラ７５と、クリーニング装置７６及び不図示の除電装置等とを有する。
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出される光ビームを帯電状態の感光体７１の周面において走査して該周面に静電潜像を形成するものである。現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２２】
給紙カセット８は、装置本体に対して引き出し自在であり、記録紙を収容するものである。給紙トレイ９は、装置本体に対して開閉自在であり、記録紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
【００２３】
定着部１１は、記憶媒体上に二次転写されたトナー像を記録紙に定着させるものであり、加圧及び加熱することによりトナー像を記録紙に定着させる加熱ローラを備えるものである。
搬送路１３は、給紙カセット８から記憶紙を搬出するピックアップローラ１３ａ、記憶媒体を搬送する給紙ローラ１３ｂ、排紙トレイ１２に記憶媒体を排紙する排紙ローラ１３ｃ等を備えるものである。
【００２４】
このような構成を有する本実施形態の複写機１は、上述のように、画像読取部２において画像データを取得し、さらに印刷部３が当該画像データに基づいて記録紙に印刷を行う。
【００２５】
次に、本実施形態の複写機１におけるレーザスキャニングユニット（ＬＳＵ）７３について、図２から図５を用いて説明する。なお、各レーザスキャニングユニット７３は、同一構成であるため、以下の説明においては、１つのレーザスキャニングユニット７３のみについて説明する。
【００２６】
図２に示すように、レーザスキャニングユニット７３は、ハウジング３１と、光源部３２と、ポリゴンミラー３３と、ポリゴンモータ３４と、制御基板３５と、光学素子３６ｂ〜３６ｄと、反射ミラー３７と、センサ３８とを備えている。
【００２７】
ハウジング３１は合成樹脂製で、内部に所定容積の空間を備えた中空体に成形されており、その内部に光源部３２、ポリゴンミラー３３、ポリゴンモータ３４、制御基板３５、光学素子３６ｂ〜３６ｄ、反射ミラー３７及びセンサ３８等を収容している。
【００２８】
光源部３２は、本実施形態における特徴的部分であり、ハウジング３１における内側の底面に接して設けられ、ハウジング３１内に設けられているポリゴンミラー３３に向けて光ビームを照射するものである。この光源部３２については、後に詳述する。
【００２９】
ポリゴンミラー３３は、光源部３２から射出された光ビームを偏向走査するものであり、その平面形状は多角形（図示の例では六角形）を呈している。そして、ポリゴンミラー３３は、その外周が反射ミラーで形成されていて、その中心位置がポリゴンモータ３４の回転軸に貫通して取り付けられている。
【００３０】
ポリゴンモータ３４は、ポリゴンミラー３３を回転駆動するものであり、例えば、ＤＣブラシレスモータ等からなる精密モータから構成されていている。そして、このポリゴンモータ３４は、制御基板３５上に設置されている。
【００３１】
制御基板３５は、金属を含む板材からなり、その平面形状は長方形を呈している。そして、この制御基板３５は、裏面が僅かなクリアランスを介してハウジング３１の内側底面に対向して配置されており、その四隅がビス３５ａによって固定されることにより支持されている。
また、制御基板３５の表面側、すなわちハウジング３１の内側に向く面側には、ポリゴンモータ３４が実装されている。なお、図２では省略されているが、制御基板３５には、ポリゴンモータ３４の駆動用ＩＣ等の電子部品が実装されている。
【００３２】
光学素子３６ｂ〜３６ｄのうち、光学素子３６ｂ，３６ｃは、感光体７１に結像するためのｆθレンズである。また、ｆθレンズである光学素子３６ｂ，３６ｃによって結像された光ビームは反射ミラーである光学素子３６ｄによって感光体７１に向かって反射される。
【００３３】
反射ミラー３７及びセンサ３８は、共にハウジング３１内に配置固定されていて、このうち反射ミラー３７は、光学素子３６ｂを通過した光ビームをセンサ３８に向けて照射できるように構成されている。そして、センサ３８は、反射ミラー３７から光ビームを受けたときに所定の同期検出信号が得られるように構成されている。そして、センサ３８が不図示の制御装置と接続されており、当該制御装置は、センサ３８からの同期検出信号に基づいて感光体７１における書き出し位置を設定する。
【００３４】
このように構成されたレーザスキャニングユニット７３においては、光源部３２から画像データに基づいて生成された光ビームが射出され、この光ビームは、ポリゴンミラー３３に照射される。ポリゴンミラー３３に照射された光ビームは、ポリゴンミラー３３の回転により偏向走査される。そして、その偏向走査された光ビームは、光学素子３６ｂ，３６ｃ（ｆθレンズ）、及び光学素子３６ｄ（反射ミラー）を介して感光体７１上に導かれる。感光体７１上には、センサ３８で検出された同期信号、すなわち、感光体７１への画像の書き出し位置を決定するための検知信号に基づいて、照射された光ビームによって静電潜像が形成される。
【００３５】
次に、光源部３２について、図３から図５を用いて説明する。なお、以下の説明では、光源から出射される光の光軸方向をＸ方向とし、Ｘ方向に直交しハウジング３１の底面に平行する方向をＹ方向（第１方向）とし、Ｘ方向及びＹ方向のいずれにも直交する方向をＺ方向として説明する場合がある。また、Ｙ方向はレーザスキャニングユニット７３における主走査方向であり、Ｚ方向はレーザスキャニングユニット７３における副走査方向である。
【００３６】
光源部３２は、図３に示すように、レーザブラケット５０と、レーザダイオードアレイ（光源）５１と、コリメータレンズ（レンズ）５２と、アパーチャ５３と、シリンダレンズ５４とを含んで構成されている。
【００３７】
レーザブラケット５０は、中央部分にレーザダイオードアレイ５１を取付けるための段付孔５０ａが設けられている。そして、このレーザブラケット５０は、ポリゴンミラー３３に対向して開口している開孔３１ａの設けられているハウジング３１の一つの側壁の外側に設けられる（図２参照）。レーザブラケット５０がその側壁に取り付けられたとき、そのレーザブラケット５０に取り付けられているレーザダイオードアレイ５１の発光面が開孔３１ａ内に位置すると共に、その発光面がポリゴンミラー３３に向けられるように決められている。
【００３８】
レーザダイオードアレイ５１は、所定の発光点を有する半導体レーザアレイから構成されている。
【００３９】
コリメータレンズ５２は、レーザダイオードアレイ５１から照射された光ビームを平行化するもので、＋Ｘ側のレンズ面である第１レンズ面（レンズ面）５２ｂが凸状で、−Ｘ側のレンズ面である第２レンズ面（レンズ面）５２ｃが扁平状に成形された円形レンズである。コリメータレンズ５２は、ハウジング３１の内側の底面に形成される設置面３１ｂ上に、第２レンズ面５２ｃがレーザダイオードアレイ５１側に向く姿勢で設置されている。すなわち、本実施形態におけるコリメータレンズ５２は、レーザスキャニングユニット７３のハウジング３１に対して直接に設置されており、ホルダ等を介して設置されていた従来の設置方法に比べ、コストを削減することができる。
【００４０】
図４に示すように、コリメータレンズ５２の所定の縁部５２ａは、設置面３１ｂに直接に当接している。また、縁部５２ａのＸ方向（レーザダイオードアレイ５１から出射される光ビームの光軸Ｌ方向）での両側において、第１レンズ面５２ｂと設置面３１ｂとの間には接着剤Ｇ１が塗布され、第２レンズ面５２ｃと設置面３１ｂとの間には接着剤Ｇ２が塗布されて、コリメータレンズ５２はハウジング３１の設置面３１ｂに固定されている。接着剤Ｇ１，Ｇ２は例えばＵＶ硬化型の接着剤が用いられる。また、接着剤Ｇ１，Ｇ２を透過する光ビームの乱反射によるフレア等の発生を防止するため、接着剤Ｇ１，Ｇ２は、少なくとも硬化後に光ビームを非透過とする接着剤であることが好ましい。
一般的に、接着剤は硬化するときに収縮する。もっとも、接着剤Ｇ１，Ｇ２が硬化時に収縮することでコリメータレンズ５２が−Ｚ側に付勢されたとしても、コリメータレンズ５２の縁部５２ａは設置面３１ｂに当接しているため、コリメータレンズ５２のＺ方向での変位を防止することができる。同様に、接着剤Ｇ１，Ｇ２が硬化時に収縮したとしても、接着剤Ｇ１，Ｇ２はコリメータレンズ５２の両レンズ面５２ｂ，５２ｃのいずれにも塗布されているので、コリメータレンズ５２に加えられるＸ方向での付勢力を均一化することができ、硬化時におけるＸ方向での変位を防止・抑制することができる。
【００４１】
また、図４及び図５に示すように、コリメータレンズ５２のＹ方向での両側には、ハウジング３１の一部である一対の支持部３１ｃが所定の隙間をあけて設けられている。支持部３１ｃはＸ方向に延在する部材であり、脚部３１ｄによって設置面３１ｂと連結している。１つの支持部３１ｃの両端側にはそれぞれ脚部３１ｄが設けられており、１つの支持部３１ｃと一対の脚部３１ｄとは全体として略門型となっている。
コリメータレンズ５２と＋Ｙ側の支持部３１ｃとの間の隙間には接着剤Ｇ３が充填され、コリメータレンズ５２と−Ｙ側の支持部３１ｃとの間の隙間には接着剤Ｇ４が充填されて、コリメータレンズ５２と一対の支持部３１ｃとがそれぞれ接合されている。接着剤Ｇ３，Ｇ４は例えばＵＶ硬化型の接着剤が用いられる。また、接着剤Ｇ３，Ｇ４を透過する光ビームの乱反射によるフレア等の発生を防止するため、接着剤Ｇ３，Ｇ４は、少なくとも硬化後に光ビームを非透過とする接着剤であることが好ましい。
上述した接着剤Ｇ１，Ｇ２と同様に、接着剤Ｇ３，Ｇ４も硬化するときに収縮する。もっとも、接着剤Ｇ３，Ｇ４が硬化時に収縮したとしても、接着剤Ｇ３，Ｇ４はコリメータレンズ５２のＹ方向での両側にそれぞれ充填されているので、コリメータレンズ５２に加えられるＹ方向での付勢力を均一化することができ、硬化時におけるＹ方向での変位を防止・抑制することができる。
【００４２】
さらに、それぞれの支持部３１ｃにおける設置面３１ｂ側、且つ一対の脚部３１ｄの間には、Ｙ方向に向かって開口する調整用開口部（レンズ調整用開口部）３１ｅが形成されている。この調整用開口部３１ｅは、接着剤Ｇ１〜Ｇ４を硬化させる前に行われるコリメータレンズ５２の位置調整に用いられる。具体的には、調整用開口部３１ｅに所定の保持部材等を挿入し、該保持部材によりコリメータレンズ５２を保持しつつ、この保持部材を動かすことでコリメータレンズ５２の位置を調整する。調整用開口部３１ｅに挿入される保持部材を用いることで、コリメータレンズ５２を確実に保持でき、安定した高精度の調整を行うことができる。
【００４３】
コリメータレンズ５２のハウジング３１へ固定は、ビーム径の調整と共に行われる。以下、ビーム径の調整及びコリメータレンズ５２のハウジング３１への固定手順を説明する。
まず、レーザダイオードアレイ５１をハウジング３１に対してレーザブラケット５０を用いて固定する。次に、コリメータレンズ５２を一対の支持部３１ｃの間に配置し、縁部５２ａを設置面３１ｂに当接させる。次に、調整用開口部３１ｅに所定の保持部材を挿入し、コリメータレンズ５２を保持する。次に、レーザダイオードアレイ５１を点灯させて、所定の像面上のビーム径を計測しつつ、保持部材を動かすことで目標のビーム径となるようにコリメータレンズ５２をＸ方向に位置調整する。次に、位置調整後、接着剤Ｇ１，Ｇ２を両レンズ面５２ｂ，５２ｃと設置面３１ｂとの間に塗布し、接着剤Ｇ３，Ｇ４をコリメータレンズ５２と一対の支持部３１ｃとの間の隙間に充填する。最後に、接着剤Ｇ１，Ｇ２，Ｇ３，Ｇ４の全てに対してＵＶ光を一度に照射して硬化させる。上記保持部材は、調整用開口部３１ｅから取り除いておく。
以上で、ビーム径の調整及びコリメータレンズ５２のハウジング３１への固定が終了する。
【００４４】
図３又は図４に示すように、アパーチャ５３は、光ビームが通過するスリットを備え、該スリットを通過する光ビームの照射領域を矩形又は楕円形に調整するものである。また、アパーチャ５３は、コリメータレンズ５２の＋Ｘ側に設けられ、ハウジング３１の内側の底面に固定されている。
シリンダレンズ５４は、コリメータレンズ５２から出た光ビームを副走査方向（Ｚ方向）に絞り込むもので、一方の面が凸で、その反対面が扁平の略正方形のレンズである。また、シリンダレンズ５４は、アパーチャ５３の＋Ｘ側に設けられ、ハウジング３１の内側の底面に固定されている。
【００４５】
したがって、本実施形態によれば、コリメータレンズ５２を接着剤によりハウジング３１に固定する場合において、接着剤硬化時におけるコリメータレンズ５２の変位を防止・抑制でき、高品質のレーザスキャニングユニット７３及びそれを備える複写機１を提供できるという効果がある。
【００４６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４７】
例えば、上記実施形態では、コリメータレンズ５２を接着剤によってハウジング３１に固定しているが、これに限定されるものではなく、他のレンズ、例えばシリンダレンズ５４をハウジング３１に固定する場合に本発明に係る接着構造を用いてもよい。
【００４８】
また、上記実施形態では、接着剤としてＵＶ硬化型の接着剤が用いられているが、これに限定されるものではなく、他の種類の接着剤であってもよい。
【符号の説明】
【００４９】
１…複写機（画像形成装置）、３１…ハウジング、３１ｂ…設置面、３１ｃ…支持部、３１ｅ…調整用開口部（レンズ調整用開口部）、５１…レーザダイオードアレイ（光源）、５２…コリメータレンズ（レンズ）、５２ａ…縁部、５２ｂ…第１レンズ面（レンズ面）、５２ｃ…第２レンズ面（レンズ面）、７３…レーザスキャニングユニット（光走査装置）、Ｇ１，Ｇ２，Ｇ３，Ｇ４…接着剤
【図１】
2011180242.tif 000003
【図２】
2011180242.tif 000004
【図３】
2011180242.tif 000005
【図４】
2011180242.tif 000006
【図５】
2011180242.tif 000007